(57)【要約】【課題】身体障者、被介護者等のための簡易入浴装置において、極めて簡単な構成によって、入浴者の体のできるだけ多くの部分にバブルを噴出して、入浴者の体を泡によって洗浄すると共に心地よい入浴気分を与えること。【解決手段】座席部４が形成され且つバブル噴射口５が具備された浴槽本体部Ａ１と、浴槽開閉部Ａ２とからなる浴槽体Ａとすること。前記座席部４の背もたれ面４ｂには前記バブル噴射口５から噴出されたバブルが流通する凹み状のバブル案内溝６が形成されること。【選択図】図１
2007136008.tif 000002
【特許請求の範囲】
【請求項１】
座席部が形成され且つバブル噴射口が具備された浴槽本体部と、浴槽開閉部とからなる浴槽体を備えた簡易入浴機において、前記座席部の背もたれ面には前記バブル噴射口から噴出されたバブルが流通する凹み状のバブル案内溝が形成されてなることを特徴とする簡易入浴装置のバブル通路。
【請求項２】
請求項１において、前記バブル案内溝は、略垂直状に形成された縦溝部からなることを特徴とする簡易入浴装置のバブル通路。
【請求項３】
請求項２において、前記バブル案内溝は前記縦溝部と、該縦溝部に直交する横溝部とから構成されてなることを特徴とする簡易入浴装置のバブル通路。
【請求項４】
請求項３において、前記横溝部は、前記座席部の座面に近接した位置に形成されてなることを特徴とする簡易入浴装置のバブル通路。
【請求項５】
請求項１，２，３又は４のいずれか１項の記載において、前記座席部の座面は幅方向の中心位置に前後方向に沿って座面溝部が形成され、該座面溝部は前記バブル案内溝と連通すると共に前記バブル噴射口は前記座面溝部に装着されてなることを特徴とする簡易入浴装置のバブル通路。
【発明の詳細な説明】
【技術分野】
【０００１】
本発明は、身体障害者及び被介護者等のための簡易入浴装置のバブル通路に関する。
【背景技術】
【０００２】
従来、身障者、老人等の被介護者のための介護専用の入浴設備として、種々の簡易浴槽が存在している。この種の浴槽の主なものには、バブル（泡）噴出部が設けられており、そのバブル噴出部によって、入浴者にバブルを当てて体の汚れを落としたり又は心地よい入浴をさせるものである。この種のものとして、下記特許文献１（特開２００２−８５５１２）が存在する。この特許文献には、浴槽内にダクトを配管し、そのダクトからの温泡を吐出させ、浴槽に充満させ、泡式入浴を行うことができる泡式入浴バスシステムが開示されている。
【特許文献１】特開２００２−８５５１２
【発明の開示】
【発明が解決しようとする課題】
【０００３】
特許文献１では、バスシステムは、ボックスカプセルタイプのもので、限られたスペース内に入浴者が入るため、内部が狭くなっている。この狭いスペース内に前記バブル噴出部が装着され、入浴者に泡を噴出させるため、必ずしも入浴者の体全体には、噴出された泡が当たるものではない。たとえば、バスシステムの背もたれ部分は、入浴者の背中が直接当たるので泡が入りにくく、背もたれに接する背中には、温泡を浴びることができない。そのため、満足な入浴感が得ることができないおそれがある。
【０００４】
本発明が解決しようとする課題（技術的課題又は目的）は、身障者、老人等の被介護者のための介護専用入浴設備において、極めて簡単な構成によって、入浴者の体のできるだけ多くの部分にバブルを噴出して、入浴者の体を泡によって洗浄すると共に心地よい入浴気分を与えることを実現することである。
【課題を解決するための手段】
【０００５】
請求項１の発明は、座席部が形成され且つバブル噴射口が具備された浴槽本体部と、浴槽開閉部とからなる浴槽体を備えた簡易入浴機において、前記座席部の背もたれ面には前記バブル噴射口から噴出されたバブルが流通する凹み状のバブル案内溝が形成されてなる簡易入浴装置のバブル通路としたことにより、上記課題を解決した。
【０００６】
次に、請求項２の発明は、前述の構成において、前記バブル案内溝は、略垂直状に形成された縦溝部からなる簡易入浴装置のバブル通路としたことにより、上記課題を解決した。請求項３の発明は、前述の構成において、前記バブル案内溝は前記縦溝部と、該縦溝部に直交する横溝部とから構成されてなる簡易入浴装置のバブル通路としたことにより、上記課題を解決した。
【０００７】
請求項４の発明は、前述の構成において、前記横溝部は、前記座席部の座面に近接した位置に形成されてなる簡易入浴装置のバブル通路としたことにより、上記課題を解決した。次に、請求項５の発明は、前述の構成において、前記座席部の座面は幅方向の中心位置に前後方向に沿って座面溝部が形成され、該座面溝部は前記バブル案内溝と連通すると共に前記バブル噴射口は前記座面溝部に装着されてなる簡易入浴装置のバブル通路としたことにより、上記課題を解決した。
【発明の効果】
【０００８】
請求項１の発明によって、背もたれ部に形成された泡溝に沿って流動する泡が入浴者の背中を適度に刺激することができ、快適な入浴にすることができる。しかもこの泡溝は、背もたれ部に凹み状の溝として形成するのみの構成であり、特に浴槽本体部が合成樹脂からなる一体成形品とした場合においては極めて簡単且つ効率的に製造することができ、大量生産に好適なものといえる。
【０００９】
次に、請求項２の発明は、前記泡溝は略垂直状に沿って形成される縦溝部から構成されるので、入浴者の背中の高さ方向に沿って泡が流れ、極めて良好な泡による洗浄効果を発揮するものである。次に、請求項３の発明によって、前記縦溝部に加えて、該縦溝部と直交する横溝部が形成されることにより、入浴者の背中に対して上下方向と水平方向に泡が流動し、入浴者の背中に、より一層広範囲に亘って泡による刺激を与えることができる。
【００１０】
次に、請求項４の発明によって、前記横溝部は、前記座面部に近接した位置に形成されてなる簡易入浴装置のバブル通路としたことにより、入浴者の背中及び腰に対して泡による刺激を与えることができる。次に、請求項５の発明は、前述の構成において、前記座席部は幅方向の中心位置に前後方向に沿って座面溝部が形成され、且つ座面溝部と、泡溝とが連通することで、入浴者の下半身と背中に泡による刺激を与えることができ、快適な入浴が楽しめる。
【発明を実施するための最良の形態】
【００１１】
以下、本発明の実施形態を図面に基づいて説明する。本発明の構成は、主に浴槽本体部Ａ1と浴槽開閉部Ａ２とから構成され、その浴槽本体部Ａ1と浴槽開閉部Ａ２とで浴槽体Ａが構成される（図１，図３参照）。その浴槽本体部Ａ1には、浴槽空隙部１が形成されている。該浴槽空隙部１は、浴槽開閉部Ａ２と共に浴槽体Ａ内部を構成する。さらに、本発明においては、据置タイプとリクライニングタイプとが存在する。
【００１２】
まず、据置タイプから説明する。前記浴槽本体部Ａ1の形状は、図１に示すように、略立方体又は略直方体等で且つ開口が形成されて略半開き又は半割り形状としたものであり、カプセル或は繭形等の筐体形状に形成されたものである。前記半開き部分を構成する開口部は、隣接する２面が連続する状態に形成されたものである。その２つの開口は、前記筐体状の浴槽本体部Ａ１の正面及び上面に位置して、前記浴槽空隙部１と連通している。
【００１３】
そして、前記浴槽本体部Ａ１の上方に位置する開口部が上面開口部２となり、正面側に位置する開口部が出入り口部３となる。前記上面開口部２は、浴槽体Ａに注いだ湯面に位置する開口となり、前記出入り口部３は、入浴者が浴槽体Ａの浴槽空隙部１内に出入りするための開口となり、前記浴槽開閉部Ａ２を浴槽本体部Ａ１に閉じることで浴槽空隙部１が水密性を有して設けられる部位である。
【００１４】
その浴槽本体部Ａ１と浴槽開閉部Ａ２とは、合成樹脂で形成されており、それぞれが成形型によって一体成形品として形成される。また浴槽本体部Ａ１の出入り口部３に対して、前記浴槽開閉部Ａ２は、蝶番により水平方向に開閉自在となるスイング扉タイプ（図１参照）とし、クリップ金具等にて両者はロック状態に接合されるものである。或いは該浴槽開閉部Ａ２は、前記浴槽本体部Ａ１に対して枢支連結されて分離タイプとしたものも存在する。
【００１５】
前記浴槽本体部Ａ１の内部には座席部４が形成されている。該座席部４は、図１に示すように、前記浴槽本体部Ａ１の高さ方向においてその中央より下方に位置して形成され、且つ前記浴槽本体部Ａ１に一体成形されたものである。前記座席部４は、座面４ａと背もたれ面４ｂとから構成されたものである。具体的には、前記背もたれ面４ｂは前記浴槽本体部Ａ１の内壁面から前方に膨出するようにして形成され、その背もたれ面４ｂの頂部が浴槽本体部Ａ１の幅方向両側壁に連続して腕置き部としての役目をなしている。
【００１６】
その浴槽本体部Ａ１の内部には、バブル噴射口５が具備されている。該バブル噴射口５は、多数の気泡を湯の中に噴出し、入浴者の汚れを落としたり、又は体を適当に刺激して入浴を心地良いものとしている。前記座席部４の背もたれ面４ｂには凹み状のバブル案内溝６が形成されている。該バブル案内溝６は、前記浴槽本体部Ａ１の高さ方向に対して略垂直状に形成されている。そのバブル案内溝６の断面形状は、図２（Ｂ）に示すように、略「凹」字形状であり、図５（Ａ）乃至（Ｃ）に示すように、前記バブル噴射口５から噴出されたバブルが流通するものである。
【００１７】
また前記バブル案内溝６は、縦溝部６ａと横溝部６ｂとから構成されている。その縦溝部６ａは、前記座席部４の背もたれ面４ｂに対して略垂直状に形成されている。また、前記横溝部６ｂは、前記縦溝部６ａに対して直交するようにして形成されている〔図1，図２（Ａ）の想像線で記載された部分及び図７等参照〕。この横溝部６ｂが形成されることによって、前記縦溝部６ａを流れるバブルに加えて、横溝部６ｂにもバブルが流れ、図５（Ｃ）に示すように、入浴者の背中に対して上下方向と水平方向にバブルが流動し、入浴者の背中に、より一層広範囲に亘ってバブルによる刺激を与えることができる。
【００１８】
また、前記横溝部６ｂは、前記座席部４の座面４ａに近接した位置に形成されることもあり、この場合には、前記横溝部６ｂは入浴者の腰のあたりに存在することになる。したがって、前記横溝部６ｂは入浴者の腰にバブルを送り出し、バブルによる刺激を与えることができ、マッサージ効果が期待できるものである。
【００１９】
さらに、前記座席部４の座面４ａには、幅方向の中心位置で、且つその前後方向に沿って座面溝部７が形成されている。そして、該座面溝部７と前記バブル案内溝６とが連通している〔図２（Ａ），図３等参照〕。前記座面溝部７は、前記座面４ａを幅方向において中央箇所で２つに分離するものである。
【００２０】
そして、分離されることによって座面４ａの中央には、適宜の間隔をおいて対向する２つの溝壁面７ａ，７ａが形成される。その両溝壁面７ａ，７ａに前記バブル噴射口５が装着されており、このバブル噴射口５から噴出されたバブルが座面溝部７を流動し、入浴者の下半身部分にバブルを当てると共に、さらにバブルがバブル案内溝６を通過して同時に入浴者の背中の部分にもバブルを当てることができるものである（図５参照）。
【００２１】
その浴槽開閉部Ａ２は、前記浴槽本体部Ａ１の出入り口部３に対して扉としての役目をなすと共に、前記出入り口部３を閉じた状態で、前記浴槽本体部Ａ1と浴槽開閉部Ａ２とによって、前記浴槽体Ａを構成することになる。その浴槽開閉部Ａ２の内面側には、前記浴槽本体部Ａ１側の前記座席部４に入浴者が腰掛けた状態で膝の部分が収まるように、空隙部が構成されている。
【００２２】
その浴槽本体部Ａ１と浴槽開閉部Ａ２の接合する部分は接合面部であり、その接合面部を前記浴槽本体部Ａ１側では本体接合面部１０とし、浴槽開閉部側では開閉接合面部１３と称する。また、該本体接合面部１０には、エプロン１１が形成されている。その浴槽本体部Ａ１側の本体接合面部１０には、パッキン材１２が前記本体接合面部１０の形状に沿って貼着されている。前記パッキン材１２は、密封性のあるゴム材又は合成樹脂が使用される。前記浴槽本体部Ａ１の本体接合面部１０は、その下端位置が上端よりも浴槽本体部Ａ１の前方側に突出するようにして傾斜面となっている（図３参照）。  
【００２３】
次に、図６，図７には、本発明におけるリクライニングタイプが記載されたものであり、該浴槽体Ａがリクライニング動作するものである。このリクライニングタイプは、前記浴槽本体部Ａ１が垂直面上を揺動すると共に、適宜の位置で停止且つ固定するようにしたものであり、このような動作をするために、後述するクライニング機構が浴槽支持フレームＢに装着され、そのリクライニング機構により、前記浴槽体Ａが揺動して傾斜したり、水平状となって入浴可能な状態とすることができるものである。該浴槽体Ａは、前述した浴槽体Ａと同様に、浴槽本体部Ａ１と浴槽開閉部Ａ２とから構成されたものである。そして、このリクライニングタイプは、前記据置タイプと同様に、浴槽本体部Ａ1が、図７（Ａ）に示すように、略立方体又は略直方体等で且つ開口が形成され、略半開き又は半割り形状としたカプセル或は繭形等の筐体形状に形成されている。さらに、このリクライニングタイプも前記据置タイプと同様に、該浴槽開閉部Ａ２は、前記浴槽本体部Ａ１に対して枢支連結されてスイング扉タイプ〔図７（Ａ）参照〕としたものや、分離タイプとしたものが存在する。
【００２４】
そして、このリクライニングタイプにおいても、浴槽本体部Ａ１には、前記バブル案内溝６が形成され、さらに該バブル案内溝６は、縦溝部６ａと横溝部６ｂとから構成されている。その縦溝部６ａは、前記座席部４の背もたれ面４ｂに対して略垂直状に形成されている。また、前記横溝部６ｂは、前記縦溝部６ａに対して直交するようにして形成されている〔図７（Ａ），図８参照〕。この横溝部６ｂも前述したように、座席部４の座面４ａに近接した位置に形成され、入浴者の腰のあたりに存在することになり、入浴者の腰にバブルを送り出し、バブルによる刺激を与えることができ、マッサージ効果が期待できるものである。また、前述の構成と同様に、前記座席部４の座面４ａには、幅方向の中心位置で、且つその前後方向に沿って座面溝部７が形成され、該座面溝部７と前記バブル案内溝６とが連通している〔図７（Ａ），図８参照〕。前記座面溝部７は、前記座面４ａを幅方向において中央箇所で２つに分離するものである。
【００２５】
まず、前記浴槽体Ａを使用する前の状態は、前記浴槽支持フレームＢに対して椅子の状態となっている〔図６（Ａ），図７（Ｂ）参照〕。そして、入浴者が入浴を行うときには、まず浴槽本体部Ａ１が略椅子の状態となるように、前記浴槽支持フレームＢにセットされている〔図６（Ａ），図７（Ａ）参照〕。前記浴槽開閉部Ａ２は、前記浴槽本体部Ａ１に対して開いた状態にして、入浴者が座席部４に腰掛ける。そして、前記浴槽開閉部Ａ２が前記浴槽本体部Ａ１に閉じられ、前記浴槽本体部Ａ１と前記浴槽開閉部Ａ２からなる浴槽体Ａが浴槽支持フレームＢ上で水平状態となり〔図６（Ｂ），図７（Ｂ）参照〕、湯が入れられて入浴が行われる。
【図面の簡単な説明】
【００２６】
【図１】本発明の据置タイプにおいて浴槽開閉部を浴槽本体部から開いた状態を示す斜視図である。
【図２】（Ａ）本発明における据置タイプの要部斜視図、（Ｂ）はＸ-Ｘ矢視端面図である。
【図３】本発明における据置タイプの縦断側面図である。
【図４】本発明の据置タイプにおいて別の形状の座席部を備えた縦断側面図である。
【図５】（Ａ）は本発明の入浴におけるバブルの流れを示す浴槽本体部の縦断側面図、（Ｂ）は入浴者の正面側より見たバブルの流れを示す作用図、（Ｃ）は入浴者の背面側より見たバブルの流れを示す作用図である。
【図６】（Ａ）はリクライニングタイプとした本発明の側面図、（Ｂ）はリクライニング状態の側面図である。
【図７】（Ａ）はリクライニングタイプとした本発明の斜視図、（Ｂ）はリクライニング状態の斜視図である。
【図８】リクライニングタイプの浴槽本体部の正面図である。
【符号の説明】
【００２７】
浴槽体Ａ、浴槽本体部Ａ１、浴槽開閉部Ａ２、座席部４、座面４ａ、背もたれ面４ｂ、
バブル噴射口５、バブル案内溝６、縦溝部６ａ、横溝部６ｂ、座面溝部７。
【図１】
2007136008.tif 000003
【図２】
2007136008.tif 000004
【図３】
2007136008.tif 000005
【図４】
2007136008.tif 000006
【図５】
2007136008.tif 000007
【図６】
2007136008.tif 000008
【図７】
2007136008.tif 000009
【図８】
2007136008.tif 000010